(57)【要約】【課題】シミュレーション結果を考慮して、注入プロトコルを生成する。【解決手段】生成装置２３は、ユーザーが選択した選択部位の部位情報を取得する部位情報取得部１３と、選択部位の目標画素値を取得する目標値取得部１４と、部位情報と初期注入プロトコルとを使用して、選択部位の画素値の経時変化をシミュレーションして予測画素値を求めるシミュレーション部１５と、予測画素値を目標画素値と比較し、予測画素値が目標条件を満たすか否かを判断すると共に、目標条件が満たされる場合に、初期注入プロトコルを最終注入プロトコルとして決定するプロトコル生成部１６とを備え、プロトコル生成部は、目標条件が満たされない場合に、目標条件が満たされるまでシミュレーション部に再シミュレーションを繰り返させ、再シミュレーションによって目標条件が満たされる場合に、再シミュレーションに使用された注入プロトコルを最終注入プロトコルとして決定する。【選択図】図３
2018130231.tif 000002
【特許請求の範囲】
【請求項１】
ユーザーが選択した選択部位の部位情報を取得する部位情報取得部と、
前記選択部位の目標画素値を取得する目標値取得部と、
前記部位情報と初期注入プロトコルとを使用して、前記選択部位の画素値の経時変化をシミュレーションして予測画素値を求めるシミュレーション部と、
前記予測画素値を前記目標画素値と比較し、前記予測画素値が目標条件を満たすか否かを判断すると共に、前記目標条件が満たされる場合に、前記初期注入プロトコルを最終注入プロトコルとして決定するプロトコル生成部とを備え、
前記プロトコル生成部は、前記目標条件が満たされない場合に、前記目標条件が満たされるまで前記シミュレーション部に再シミュレーションを繰り返させ、前記再シミュレーションによって前記目標条件が満たされる場合に、前記再シミュレーションに使用された注入プロトコルを前記最終注入プロトコルとして決定する、生成装置。
【請求項２】
前記プロトコル生成部は、前記予測画素値が前記目標画素値に達する場合に前記目標条件が満たされると判断し、前記予測画素値が前記目標画素値に達しない場合に前記目標条件が満たされないと判断する、請求項１に記載の生成装置。
【請求項３】
前記目標値取得部は、前記目標画素値の上限値及び下限値を取得し、
前記プロトコル生成部は、前記予測画素値が前記下限値以上且つ前記上限値以下である場合に前記目標条件が満たされると判断し、前記予測画素値が前記下限値未満又は前記上限値より高い場合に前記目標条件が満たされないと判断する、請求項１に記載の生成装置。
【請求項４】
前記上限値及び前記下限値は、前記選択部位の画像の１階調当たり画素値を基準に、それぞれ前記目標画素値に対して３階調分の画素値の範囲内である、請求項３に記載の生成装置。
【請求項５】
前記目標値取得部は、前記目標画素値の目標持続時間をさらに取得し、
前記プロトコル生成部は、前記目標持続時間に渡って前記目標条件が満たされる状態が維持される場合に、前記目標条件が満たされると判断する、請求項１から４のいずれか１項に記載の生成装置。
【請求項６】
前記プロトコル生成部は、前記再シミュレーションの際に、新たな注入プロトコルを生成し、
前記シミュレーション部は、前記新たな注入プロトコルを使用して前記再シミュレーションを行う、請求項１から５のいずれか１項に記載の生成装置。
【請求項７】
前記プロトコル生成部は、増加又は減少された体重当たり造影剤量又は被写体の体重を使用して前記新たな注入プロトコルを生成する、請求項６に記載の生成装置。
【請求項８】
前記シミュレーション部は、前記部位情報に関連付けられた関連部位の情報を使用して前記関連部位の画素値の経時変化をシミュレーションする、請求項１から７のいずれか１項に記載の生成装置。
【請求項９】
請求項１から８のいずれか１項に記載の生成装置と、
前記最終注入プロトコルに従って造影剤を注入する注入ヘッドとを備える、注入装置。
【請求項１０】
請求項１から８のいずれか１項に記載の生成装置と、
被写体を撮像する撮像部とを備える、撮像装置。
【請求項１１】
ユーザーが選択した選択部位の部位情報を取得し、
前記選択部位の目標画素値を取得し、
前記部位情報と初期注入プロトコルとを使用して、前記選択部位の画素値の経時変化をシミュレーションして予測画素値を求め、
前記予測画素値を前記目標画素値と比較し、前記予測画素値が目標条件を満たすか否かを判断し、
前記目標条件が満たされる場合に、前記初期注入プロトコルを最終注入プロトコルとして決定し、
前記目標条件が満たされない場合に、前記目標条件が満たされるまで再シミュレーションを繰り返し、
前記再シミュレーションによって前記目標条件が満たされる場合に、前記再シミュレーションに使用された注入プロトコルを前記最終注入プロトコルとして決定する、注入プロトコル生成方法。
【請求項１２】
造影剤の注入プロトコル生成プログラムであって、注入プロトコルを生成する生成装置を、
ユーザーが選択した選択部位の部位情報を取得する部位情報取得部、
前記選択部位の目標画素値を取得する目標値取得部、
前記部位情報と初期注入プロトコルとを使用して、前記選択部位の画素値の経時変化をシミュレーションして予測画素値を求めるシミュレーション部、及び
前記予測画素値を前記目標画素値と比較し、前記予測画素値が目標条件を満たすか否かを判断すると共に、前記目標条件が満たされる場合に、前記初期注入プロトコルを最終注入プロトコルとして決定するプロトコル生成部として機能させ、
前記プロトコル生成部は、前記目標条件が満たされない場合に、前記目標条件が満たされるまで前記シミュレーション部に再シミュレーションを繰り返させ、前記再シミュレーションによって前記目標条件が満たされる場合に、前記再シミュレーションに使用された注入プロトコルを前記最終注入プロトコルとして決定する、注入プロトコル生成プログラム。
【発明の詳細な説明】
【技術分野】
【０００１】
本発明は、造影剤の注入プロトコルの生成装置、該生成装置を備える注入装置及び撮像装置、注入プロトコル生成方法、及び注入プロトコル生成プログラムに関する。
【背景技術】
【０００２】
近年、被写体としての被験者を撮像する際に、ユーザーが望む範囲の画素値を得られるような造影剤の注入プロトコルを生成することが望まれている。例えば、特許文献１は、所定の持続時間にわたって所定範囲の画素値が維持されるような注入プロトコルを生成する生成装置と、生成された注入プロトコルに従って造影剤を注入する注入ヘッドとを備える注入装置を開示している。
【０００３】
また、特許文献２は、被写体の組織における画素値の経時変化を予測するシミュレータを開示している。このシミュレータは、被写体の情報と、注入プロトコルと、組織の情報とに基づいて、組織を血流方向に沿って分割した複数のコンパートメントのそれぞれの画素値の経時変化を予測する予測部を備えている。
【先行技術文献】
【特許文献】
【０００４】
【特許文献１】国際公開第２０１６／０２１１８５号
【特許文献２】国際公開第２０１６／０８４３７３号
【発明の概要】
【発明が解決しようとする課題】
【０００５】
そこで、高精度の予測を行うシミュレータによるシミュレーション結果を考慮した注入プロトコルを生成することが望まれている。
【課題を解決するための手段】
【０００６】
上記課題を解決するため、本発明の生成装置は、ユーザーが選択した選択部位の部位情報を取得する部位情報取得部と、前記選択部位の目標画素値を取得する目標値取得部と、前記部位情報と初期注入プロトコルとを使用して、前記選択部位の画素値の経時変化をシミュレーションして予測画素値を求めるシミュレーション部と、前記予測画素値を前記目標画素値と比較し、前記予測画素値が目標条件を満たすか否かを判断すると共に、前記目標条件が満たされる場合に、前記初期注入プロトコルを最終注入プロトコルとして決定するプロトコル生成部とを備え、前記プロトコル生成部は、前記目標条件が満たされない場合に、前記目標条件が満たされるまで前記シミュレーション部に再シミュレーションを繰り返させ、前記再シミュレーションによって前記目標条件が満たされる場合に、前記再シミュレーションに使用された注入プロトコルを前記最終注入プロトコルとして決定する、ことを特徴とする。
【０００７】
これにより、シミュレーション部によるシミュレーション結果を考慮して、注入プロトコルを生成することができる。
【０００８】
本発明のさらなる特徴は、添付図面を参照して例示的に示した以下の実施例の説明から明らかになる。
【図面の簡単な説明】
【０００９】
【図１】撮像システムの概略図である。
【図２】本発明の第１実施形態に係る注入装置の概略ブロック図である。
【図３】注入プロトコルの生成方法を説明するためのフローチャートである。
【図４】シミュレーション方法を説明するためのフローチャートである。
【図５】再シミュレーション方法を説明するためのフローチャートである。
【図６】再シミュレーション時のタイムデンシティカーブを示すグラフである。
【図７】本発明の第２実施形態に係る撮像システムの概略ブロック図である。
【発明を実施するための形態】
【００１０】
以下、本発明を実施するための例示的な実施形態を、図面を参照して詳細に説明する。ただし、以下の実施形態で説明する寸法、材料、形状及び構成要素の相対的な位置は任意であり、本発明が適用される装置の構成又は様々な条件に応じて変更できる。また、特別な記載がない限り、本発明の範囲は、以下に具体的に記載された実施形態に限定されない。
【００１１】
特に言及した場合を除き、造影剤という用語は、造影剤単体と、造影剤に加えて他の溶媒及び添加物等を含む薬液との両方を含む。また、画素値という用語は、撮像部位のＣＴ値、関心領域（ＲＯＩ）に含まれる画素のＣＴ値の和又は平均値、若しくは関心領域のＳＤ値（標準偏差値）を含む。この関心領域は予め設定されているか、又はユーザーが関心領域を選択することができる。
【００１２】
図１に示すように、撮像システム１００は、造影剤を注入する注入装置２と、注入装置２に有線又は無線で接続され且つ被写体を撮像する撮像装置３とを備えている。この撮像装置３としては、例えば、ＭＲＩ（Magnetic Resonance Imaging）装置、ＣＴ（Computed Tomography）装置、アンギオ撮像装置、ＰＥＴ（Positron Emission Tomography）装置、ＳＰＥＣＴ（Single Photon Emission Computed Tomography）装置、ＣＴアンギオ装置、ＭＲアンギオ装置、超音波診断装置、及び血管撮像装置等の各種医療用の撮像装置がある。以下ではＣＴ装置について説明する。
【００１３】
撮像装置３は、撮像プランに従って被写体を撮像する撮像部３１と、撮像装置３の全体を制御する制御装置３２を有している。この撮像プランには、撮像部位、実効管電圧、機種名、メーカー名、撮像時間、管電圧、撮像範囲、回転速度、ヘリカルピッチ、曝射時間、線量及び撮像方法等の情報が含まれている。そして、制御装置３２は、撮像プランに従うように撮像部３１を制御して被験者を撮像する。また、制御装置３２は、撮像部３１、注入装置２、及びサーバー（外部記憶装置）と有線又は無線によって通信できる。
【００１４】
撮像部３１は、寝台と、被写体である被験者にＸ線を照射するＸ線源と、被験者を透過したＸ線を検出するＸ線検出器を有している。この撮像部３１は、被験者にＸ線を曝射し、被験者を透過したＸ線に基づいて被験者の体内を逆投影することで、被験者の透視画像を撮像する。代替的に、撮像部３１は、ラジオ波又は超音波を用いて撮像してもよい。
【００１５】
また、撮像装置３は、表示部としてのディスプレイ３３を有している。このディスプレイ３３は、制御装置３２に接続されており、装置の入力状態、設定状態、撮像結果及び各種情報を表示する。代替的に、制御装置３２とディスプレイ３３とは、一体的に構成することもできる。さらに、撮像装置３は、入力部３４として、キーボード等のユーザインタフェースを有している。ユーザーは、薬液情報、撮像情報、被写体情報及び／又は撮像条件を、入力部３４から撮像装置３に入力することができる。
【００１６】
注入装置２は、シリンジに充填された薬液、例えば、生理食塩水及び各種造影剤を被写体に注入する。この注入プロトコルは、少なくとも注入速度及び注入時間を含んでいる。さらに、注入プロトコルは、注入速度の加速度、注入量、注入タイミング、造影剤濃度及び注入圧力等の注入条件に関する情報を含んでいてもよい。また、注入装置２は、後述する最終注入プロトコルに従って造影剤を注入する注入ヘッド２１を備えている。そして、薬液が充填されたシリンジは、この注入ヘッド２１に搭載される。また、注入装置２は、注入ヘッド２１を保持するスタンド２２と、注入ヘッド２１に有線又は無線で接続されたコンソール２３とを備えている。
【００１７】
コンソール２３は、注入ヘッド２１を制御する制御装置として機能すると共に、造影剤の注入プロトコルを生成する生成装置としても機能する。このコンソール２３は、入力表示部として機能するタッチパネル２６を備え、注入ヘッド２１及び撮像装置３と有線又は無線で通信できる。このタッチパネル２６は、注入プロトコル、装置の入力状態、設定状態、注入結果、及び各種情報を表示する。タッチパネル２６に代えて、注入装置２は、表示部としてのディスプレイと、入力部としてのキーボード等のユーザインタフェースとを備えていてもよい。
【００１８】
注入装置２は、コンソール２３に代えて、注入ヘッド２１に接続された制御装置と、該制御装置に接続され且つ薬液の注入状況が表示される表示部（例えばタッチパネルディスプレイ）とを有していてもよい。この制御装置も、注入プロトコルの生成装置として機能する。また、注入ヘッド２１及び制御装置は、スタンド２２と一体的に構成することもできる。さらに、スタンド２２に代えて天吊部材を設け、該天吊部材を介して天井から注入ヘッド２１を天吊することもできる。
【００１９】
また、注入装置２は、注入ヘッド２１を遠隔操作する遠隔操作装置（例えばハンドスイッチ）を有していてもよい。この遠隔操作装置は、注入ヘッド２１を遠隔操作して注入を開始又は停止することができる。さらに、注入装置２は、電源又はバッテリーを有していてもよい。この電源又はバッテリーは、注入ヘッド２１又は制御装置のいずれかに設けることができ、これらとは別に設けることもできる。
【００２０】
注入ヘッド２１は、シリンジが搭載されるシリンジ保持部を有すると共に、注入プロトコルに従ってシリンジ内の薬液を押し出す駆動機構を内蔵している。また、注入ヘッド２１は、駆動機構の動作を入力するための操作部２１２を有している。操作部２１２には、例えば駆動機構の前進ボタン、駆動機構の後進ボタン、及び最終確認ボタンが設けられている。さらに、注入ヘッド２１は、注入条件、注入状況、装置の入力状態、設定状態、及び各種注入結果が表示されるヘッドディスプレイを備えていてもよい。
【００２１】
造影剤が注入される際には、注入ヘッド２１に搭載されたシリンジの先端部に延長チューブ等の付属品が接続される。そして、注入準備が完了すると、ユーザーが操作部２１２の最終確認ボタンを押す。これにより、注入ヘッド２１は、注入を開始できる状態で待機する。注入を開始すると、シリンジから押し出された造影剤は、延長チューブを介して被写体の体内へ注入される。
【００２２】
また、注入ヘッド２１には、ＲＦＩＤチップ、ＩＣタグ、又はバーコード等のデータキャリアを有するプレフィルドシリンジ、及び種々のシリンジを搭載することができる。そして、注入ヘッド２１は、シリンジに取り付けられたデータキャリアの読み取りを行う読取部２１３（図２）を内蔵している。このデータキャリアには、薬液に関連する情報（薬液情報）が記憶されている。薬液情報としては、製品ＩＤ、製品名称、化学分類、含有成分、造影剤濃度、粘度、消費期限、シリンジ容量、シリンジ耐圧、シリンダ内径、ピストンストローク及びロット番号等がある。
【００２３】
注入装置２は、不図示のサーバー（外部記憶装置）から情報を受信することができ、サーバーへ情報を送信することもできる。また、撮像装置３も、サーバーから情報を受信することができ、サーバーへ情報を送信することもできる。このサーバーは、例えば、ＲＩＳ（Radiology Information System）、ＰＡＣＳ（Picture Archiving and Communication System）、及びＨＩＳ（Hospital Information System）である。
【００２４】
サーバーには、予め検査オーダーが記憶されている。この検査オーダーは、被験者の情報（被写体情報）と、検査内容に関する情報（検査情報）とを含んでいる。被写体情報は、被写体の体重、除脂肪体重、循環血液量、被験者番号（被験者ＩＤ）、氏名、性別、生年月日、年齢、身長、血液量、体表面積、疾病、心拍数、心拍出量、ヘモグロビン量（g/dL）、血流速度、被験者の疾病、副作用の履歴、及びクレアチニン値等を含む。また、検査情報は、検査番号（検査ＩＤ）、検査部位、検査日時、薬液種類、薬液名称、及び撮像情報（撮像部位の情報）等を含む。また、サーバーは、撮像装置３から送信された画像のデータ等の撮像結果に関する情報と、注入装置２から送信された注入結果に関する情報を記憶することができる。なお、注入装置２及び撮像装置３を操作するために、外部の検像システム又は画像作成用ワークステーションを用いることもできる。
【００２５】
［第１実施形態］
続いて、図２を参照して、注入プロトコルの生成装置を備える注入装置２について説明する。図２は注入装置２の概略ブロック図である。
【００２６】
図２に示すように、注入装置２は、生成装置として機能するコンソール２３を備えている。そして、コンソール２３は、制御プログラムを記憶している記憶部２４を有している。この記憶部２４は、注入装置２の制御部２５が動作するためのシステムワークメモリであるＲＡＭ（Random Access Memory）、プログラム若しくはシステムソフトウェアを格納するＲＯＭ（Read Only Memory）、又はハードディスクドライブを有する。
【００２７】
記憶部２４は、初期注入プロトコル算出用の計算式、及び初期条件を記憶している。この初期注入プロトコルとは、初期条件及び所定の計算式から算出される注入プロトコルである。例えば、初期条件は、被写体の部位に応じて、注入時間、標準体重、体重当たり造影剤量（例えば体重当たりヨード量）、及び単位時間毎の造影剤単体の体重当たり使用造影剤量（例えば体重当たり使用ヨード量）の情報を含んでいる。
【００２８】
コンソール２３は、注入ヘッド２１を含む注入装置２の全体を制御するＣＰＵ等である制御部２５と、入力表示部としてのタッチパネル２６を有している。ユーザーは、タッチパネル２６を介して所定の指令又は情報を入力することができる。さらに、コンソール２３は、選択部位の部位情報と初期注入プロトコルとを使用して、選択部位の画素値の経時変化をシミュレーションして予測画素値を求めるシミュレーション部１５を備えている。このシミュレーション部１５は、ＣＰＵ等であり、さらに部位情報を考慮して画素値の経時変化をシミュレーションすることができる。なお、シミュレーション部１５は、制御部２５に設けることもできる。
【００２９】
制御部２５は、記憶部２４に実装されたプログラムに対応して各種処理を実行する。これにより、各部が各種機能として論理的に実現される。代替的に、制御部２５は、ＣＤ（Compact Disc）及びＤＶＤ（Digital Versatile Disc）等の可搬記録媒体、又はインターネット上のサーバー等の外部記憶媒体に記憶されたプログラムに従って各種処理を制御することもできる。また、制御部２５は、薬液の情報を取得する薬液情報取得部１１と、被写体の情報を取得する被写体情報取得部１２とを備えている。
【００３０】
また、制御部２５は、ユーザーが選択した選択部位の部位情報を取得する部位情報取得部１３と、選択部位の目標画素値を取得する目標値取得部１４と備えている。例えば、選択部位の部位情報とは、撮像方法の名称、又は注入部位から選択部位までの距離等、撮像対象として選択された部位（範囲）を特定できる情報である。また、目標画素値とは、選択部位の撮像に求められる所望の画素値であり、選択部位毎に予め設定するか、又はユーザーがタッチパネル２６から入力できる。目標値取得部１４は、目標画素値の上限値及び下限値、及び目標画素値の目標持続時間をさらに取得することができる。この目標持続時間とは、目標画素値を維持する所望の時間であり、選択部位毎に予め設定するか、又はユーザーがタッチパネル２６から入力できる。
【００３１】
また、制御部２５は、予測画素値を目標画素値と比較し、予測画素値が目標条件を満たすか否かを判断するプロトコル生成部１６を備えている。このプロトコル生成部１６は、目標条件が満たされる場合に、初期注入プロトコルを最終注入プロトコルとして決定する。そして、制御部２５は、最終注入プロトコルに従うように注入ヘッド２１を制御して薬液を注入させる。目標条件が満たされない場合、プロトコル生成部１６は、目標条件が満たされるまでシミュレーション部１５に再シミュレーションを繰り返させる。そして、プロトコル生成部１６は、再シミュレーションによって目標条件が満たされる場合、再シミュレーションに使用された注入プロトコルを最終注入プロトコルとして決定する。
【００３２】
記憶部２４に実装された造影剤の注入プロトコル生成プログラムは、注入プロトコルを生成する生成装置２３を、ユーザーが選択した選択部位の部位情報を取得する部位情報取得部１３、選択部位の目標画素値を取得する目標値取得部１４、部位情報と初期注入プロトコルとを使用して、選択部位の画素値の経時変化をシミュレーションして予測画素値を求めるシミュレーション部１５、及び予測画素値を目標画素値と比較し、予測画素値が目標条件を満たすか否かを判断すると共に、目標条件が満たされる場合に、初期注入プロトコルを最終注入プロトコルとして決定するプロトコル生成部１６として機能させる。このプロトコル生成部１６は、目標条件が満たされない場合に、目標条件が満たされるまでシミュレーション部１５に再シミュレーションを繰り返させ、再シミュレーションによって目標条件が満たされる場合に、再シミュレーションに使用された注入プロトコルを最終注入プロトコルとして決定する。注入プロトコル生成プログラムは、コンピューター読み取り可能な記録媒体に記憶されている。
【００３３】
［注入プロトコルの生成方法］
図３を参照して、注入プロトコルの生成方法について説明する。図３は注入プロトコルの生成方法を説明するフローチャートである。
【００３４】
ユーザーは、注入装置２の電源をオンにした後に、注入ヘッド２１にシリンジを搭載する。すると、注入ヘッド２１の読取部２１３は、薬液情報（例えば、製品ＩＤ及び造影剤濃度）を読み取って薬液情報取得部１１に送る。そして、薬液情報取得部１１は、読取部２１３が読み取った薬液情報を取得する（Ｓ１０１）。代替的に、薬液情報取得部１１は、撮像装置３又は外部記憶装置から薬液情報を取得することもできる。また、薬液情報取得部１１は、タッチパネル２６を介して、ユーザーが入力した薬液情報を取得することもできる。
【００３５】
そして、薬液情報取得部１１は、取得した薬液情報を記憶部２４に一時的に記憶させる。同時に、制御部２５は、薬液情報に基づいて、製品名称及び造影剤濃度（ヨード含有量）をタッチパネル２６に表示させる。このとき、制御部２５は、部位選択用の身体区分として、被写体の各部位を表した画像又は各部位の名称をタッチパネル２６に表示させる（Ｓ１０２）。
【００３６】
続いて、ユーザーは、タッチパネル２６に表示された身体区分の中から所望の部位（例えば、大動脈）を選択する（Ｓ１０３）。すると、部位情報取得部１３は、タッチパネル２６を介して、選択部位の部位情報（例えば、選択部位の名称）を取得する。そして、部位情報取得部１３は、取得した部位情報を記憶部２４に一時的に記憶させる。代替的に、部位情報取得部１３は、撮像装置３、注入装置２、又は外部記憶装置から部位情報を取得してもよい。
【００３７】
記憶部２４は、部位情報として、各部位におけるコンパートメント数（血管及び臓器の分割コンパートメント数）、各部位の体積（血管腔の体積）、毛細血管の体積、細胞外液腔の体積、単位組織あたりの血流量(血流速度)、各部位における造影剤の染み出し速度(毛細血管透過性表面積)、各部位における造影剤の染み戻り速度(毛細血管透過性表面積)、及び各部位生来の画素値を予め記憶していてもよい。記憶部２４は、これらの部位情報を選択部位と関連付けることができる。
【００３８】
プロトコル生成部１６は、初期注入プロトコル算出用の計算式と、初期条件とを記憶部２４から読み出す。そして、プロトコル生成部１６は、当該計算式及び初期条件から初期注入プロトコルを生成する（Ｓ１０４）。続いて、プロトコル生成部１６は、初期注入プロトコルを記憶部２４に記憶させる。この初期注入プロトコルは、例えば注入速度（mL/sec）及び注入時間（sec）を含んでいる。加えて、初期注入プロトコルは、注入方法、造影剤注入箇所、注入量、注入タイミング、造影剤濃度、注入圧力、造影剤の後押し注入の有無、生理食塩水の注入速度、生理食塩水の注入時間、注入速度の増減、及び注入用チューブの体積を含んでいてもよい。
【００３９】
一例として、プロトコル生成部１６は、標準体重、注入時間、体重当たり造影剤量（又は体重当たり使用造影剤量）、造影剤濃度、及びその他の情報に基づいて、初期注入プロトコルを以下のように求める。
【００４０】
標準体重をＷ（kg）、体重当たり造影剤量をＩ（mgI/kg）、造影剤濃度をＣＭ（mgI/ml）としたとき、プロトコル生成部１６は、造影剤の合計注入量ＳＵＭ（ml）を下記計算式１により求める。
ＳＵＭ＝Ｗ×Ｉ／ＣＭ      （計算式１）
【００４１】
代替的に、体重当たり使用造影剤量をＵＩＯ（mgI/kg/sec）、注入時間をＴ（sec）としたとき、プロトコル生成部１６は、造影剤の合計注入量ＳＵＭを下記計算式２により求めることもできる。
ＳＵＭ＝Ｗ×（ＵＩＯ／ＣＭ）×Ｔ      （計算式２）
【００４２】
次に、プロトコル生成部１６は、注入速度ＳＶ（mL/sec）を、下記計算式３により求める。
ＳＶ＝ＳＵＭ／Ｔ      （計算式３）
【００４３】
［シミュレーション］
図３に戻り、シミュレーション部１５は、選択部位の部位情報と初期注入プロトコルとを使用して、選択部位を血流方向に沿って分割した複数のコンパートメントのそれぞれについて、画素値の経時変化をシミュレーションする（Ｓ１０５）。
【００４４】
ここで、図４を参照してシミュレーション方法を説明する。図４は、シミュレーション方法を説明するフローチャートである。
【００４５】
プロトコル生成部１６は、記憶部２４から部位情報を取得して、シミュレーション部１５においてシミュレーション可能か否かを判断する（Ｓ２０１）。すなわち、プロトコル生成部１６は、記憶部２４に予め記憶された比較表（比較テーブル）を参照して、部位情報が示す選択部位をシミュレーション部１５がシミュレーション可能か否かを判断する。
【００４６】
例えば、比較表には、シミュレーション可能な部位として大動脈が設定されており、シミュレーション不能な部位として膵臓が設定されている。プロトコル生成部１６は、部位情報が示す選択部位が大動脈である場合、シミュレーション可能と判断する。そして、シミュレーション可能と判断した場合（Ｓ２０１でＹＥＳ）、プロトコル生成部１６は、シミュレーション部１５にシミュレーションを開始させる。
【００４７】
そして、シミュレーション部１５は、初期条件に含まれる被写体情報（例えば標準体重）を記憶部２４から取得する（Ｓ２０２）。また、シミュレーション部１５は、プロトコル生成部１６が生成した初期注入プロトコル（例えば注入速度及び注入時間）を記憶部２４から取得する（Ｓ２０３）。さらに、シミュレーション部１５は、部位情報（例えば選択部位の名称）を記憶部２４から取得する（Ｓ２０４）。
【００４８】
代替的に、シミュレーション部１５は、被写体情報取得部１２から被写体情報を直接取得してもよい。また、シミュレーション部１５は、ユーザーがタッチパネル２６から入力した初期注入プロトコルを取得してもよく、プロトコル生成部１６、外部記憶装置又は注入装置２から初期注入プロトコルを取得してもよい。さらに、シミュレーション部１５は、部位情報取得部１３から、部位情報を直接取得してもよい。なお、シミュレーション部１５による情報の取得順序は、適宜変更することができる。
【００４９】
続いて、シミュレーション部１５は、初期注入プロトコルと部位情報とを使用して、選択部位を血流方向に沿って分割した複数のコンパートメントのそれぞれについて、画素値の経時変化を予測する（Ｓ２０５）。シミュレーションの終了後、シミュレーション部１５は、時間ごとの選択部位内の各コンパートメントの予測画素値を、選択部位と関連付けて記憶部２４に記憶させる。このとき、シミュレーション部１５は、所定の時点の予測画素値、又は所定の時間内で変化する予測画素値を記憶部２４に記憶させることができる。
【００５０】
一方、プロトコル生成部１６は、部位情報が示す選択部位が例えば膵臓である場合、シミュレーション不能と判断する。そして、シミュレーション不能と判断された場合（Ｓ２０１でＮＯ）、プロトコル生成部１６は、比較表を参照して、予め設定された関連部位を選択部位として設定する（Ｓ２０６）。例えば、比較表には、膵臓の関連部位として大動脈が設定されている。続いて、プロトコル生成部１６は、部位情報として関連部位の名称（例えば大動脈）を記憶部２４に記憶させ、シミュレーション部１５にシミュレーションを開始させる。
【００５１】
シミュレーション部１５は、被写体情報を取得し（Ｓ２０７）、初期注入プロトコルを取得し（Ｓ２０８）、部位情報（関連部位の名称）を記憶部２４から取得する（Ｓ２０９）。続いて、シミュレーション部１５は、部位情報に関連付けられた関連部位の情報を使用して、関連部位の画素値の経時変化をシミュレーションする（Ｓ２１０）。シミュレーションの終了後、シミュレーション部１５は、予測画素値を関連部位と関連付けて記憶部２４に記憶させる。そして、プロトコル生成部１６は、記憶部２４から読み出した関連部位の予測画素値に所定の補正を施し（Ｓ２１１）、補正後の予測画素値を選択部位と関連付けて記憶部２４に記憶させる。例えば、プロトコル生成部１６は、関連部位の予測画素値を二倍にして、選択部位の予測画素値として記憶部２４に記憶させる。
【００５２】
図３のフローに戻り、シミュレーション後、制御部２５は、記憶部２４から予測画素値を取得し、タッチパネル２６に表示させる（Ｓ１０６）。代替的に、制御部２５は、選択部位が予測画素値に応じた濃度の色で表示されるように、タッチパネル２６に選択部位の画像を表示させてもよい。また、制御部２５は、シミュレーションによって予測されたタイムデンシティカーブを示すグラフをタッチパネル２６に表示させてもよい。
【００５３】
同時に、制御部２５は、タッチパネル２６に被写体情報（例えば、被写体の体重）の入力画面を表示させる。そして、予測画素値を確認したユーザーは、タッチパネル２６を介して被写体情報（例えば、被写体の体重として６０kgの数値）を入力する。被写体情報取得部１２は、入力された被写体情報を取得して、記憶部２４に記憶させる。代替的に、被写体情報取得部１２は、外部記憶装置、撮像装置３又は注入装置２から被写体情報を取得してもよい。
【００５４】
ユーザーが目標画素値を入力しない場合（Ｓ１０７でＮＯ）、プロトコル生成部１６は、初期注入プロトコルを最終注入プロトコルとして決定し（Ｓ１０８）、記憶部２４に記憶させる。そして、制御部２５は、最終注入プロトコルをタッチパネル２６に表示させる。一方、ユーザーが目標画素値を入力した場合（Ｓ１０７でＹＥＳ）、目標値取得部１４は、入力された目標画素値を取得して、記憶部２４に記憶させる（Ｓ１０９）。そして、プロトコル生成部１６は、予測画素値及び目標画素値を記憶部２４から読み出す。続いて、プロトコル生成部１６は、予測画素値を目標画素値と比較し、予測画素値が目標条件を満たすか否かを判断する（Ｓ１１０）。
【００５５】
目標条件を満たすと判断した場合（Ｓ１１０でＹＥＳ）、プロトコル生成部１６は、初期注入プロトコルを最終注入プロトコルとして決定し（Ｓ１０８）、記憶部２４に記憶させる。そして、制御部２５は、最終注入プロトコルをタッチパネル２６に表示させる。その後、ユーザーは、表示された注入プロトコルを確認し、タッチパネル２６に表示されたチェックボタン又は注入ヘッド２１の最終確認ボタンを押す。これにより、注入準備が完了して、注入装置２は注入可能状態で待機する。
【００５６】
一方、目標条件を満たさないと判断した場合（Ｓ１１０でＮＯ）、プロトコル生成部１６は、目標条件が満たされるまでシミュレーション部１５に再シミュレーションを繰り返させる（Ｓ１１１）。再シミュレーション後、シミュレーション部１５は、予測画素値を選択部位と関連付けて記憶部２４に記憶させる。そして、制御部２５は、記憶部２４から予測画素値を取得し、タッチパネル２６に表示させる（Ｓ１１２）。
【００５７】
なお、ユーザーは、目標画素値を入力する前に、被写体の体重、注入時間、体重当たり造影剤量、体重当たり使用造影剤量、及び造影剤濃度（例えばヨード濃度）等のパラメータを入力又は変更することができる。これらのパラメータが入力又は変更された場合、プロトコル生成部１６は、変更されたパラメータに基づいて新たな注入プロトコルを生成する。そして、シミュレーション部１５は、新たな注入プロトコルを使用して再度シミュレーション（Ｓ１０５）を行う。
【００５８】
［目標条件］
一例として、プロトコル生成部１６は、予測画素値が目標画素値に達する場合に目標条件が満たされると判断する。そして、プロトコル生成部１６は、予測画素値が目標画素値に達しない場合に目標条件が満たされないと判断する。また、目標画素値が上限値と下限値とを含む場合、プロトコル生成部１６は、予測画素値が下限値以上且つ上限値以下である場合に目標条件が満たされると判断する。そして、プロトコル生成部１６は、予測画素値が下限値未満又は上限値より高い場合に目標条件が満たされないと判断する。
【００５９】
目標画素値の上限値と下限値は、ユーザーがタッチパネル２６を介して入力することができる。そして、目標値取得部１４は、入力された上限値と下限値を取得して、記憶部２４に記憶させる。また、目標値取得部１４は、入力された目標画素値と、部位情報（例えば選択部位の名称）とに基づいて、上限値と下限値を取得することもできる。具体的に、上限値は、選択部位の画像の１階調当たり画素値を基準に、目標画素値に対して３階調分の画素値の範囲内で目標画素値よりも高い値に設定できる。また、下限値は、選択部位の画像の１階調当たり画素値を基準に、目標画素値に対して３階調分の画素値の範囲内で目標画素値よりも低い値に設定できる。
【００６０】
撮像された選択部位の画像は、一般に１６階調で検像システム又は画像作成用ワークステーションに表示される。そして、３階調の差があれば、この画像中の選択部位とその他の部位とをユーザーが目視で識別できる。そのため、３階調分の画素値の範囲内であれば、同一部位を表す画像として許容できる。ここで、１階調当たり画素値は、選択部位毎に予め設定されている。例えば、事前に撮像された画像中の関心領域内の平均画素値（例えば、１５HU）を、１階調当たり画素値として設定することができる。この場合、最高上限値は目標画素値よりも４５HU高く、最低下限値は目標画素値よりも４５HU低い。
【００６１】
記憶部２４は、部位名称に関連付けられた１階調当たり画素値を予め記憶している。そして、目標値取得部１４は、記憶部２４から部位情報と１階調当たり画素値とを取得し、目標画素値に対して３階調分の画素値の範囲を画定する上限値と下限値を取得する。代替的に、目標値取得部１４は、２階調又は１階調分の画素値の範囲を画定する上限値と下限値を取得してもよい。
【００６２】
目標値取得部１４が目標持続時間を取得した場合、プロトコル生成部１６は、目標持続時間に渡って目標条件が満たされる状態が維持される場合に、目標条件が満たされると判断してもよい。一方、プロトコル生成部１６は、目標持続時間内に目標条件が満たされる状態が維持されなくなる場合には、目標条件が満たされないと判断する。例えば、目標画素値が４００HUであり、上限値が４５０HUであり、下限値が３５０HUであり、目標持続時間が１０秒であるとする。この場合、プロトコル生成部１６は、予測画素値が４５０HU以下且つ３５０HU以上である状態を１０秒間維持できるときに、目標条件が満たされると判断する。
【００６３】
［再シミュレーション］
再シミュレーションについて、図５及び図６を参照して説明する。図５は、再シミュレーション方法を説明するフローチャートである。また、図６は再シミュレーションによって予測されたタイムデンシティカーブ（画素値の経時変化）を示すグラフである。
【００６４】
プロトコル生成部１６は、再シミュレーションの際（目標条件を満たさないと判断した場合）に、新たな注入プロトコルを生成するためにパラメータを変更する（Ｓ３０１）。そして、プロトコル生成部１６は、変更されたパラメータに基づいて、新たな注入プロトコルを生成し（Ｓ３０２）、記憶部２４に記憶させる。具体的に、プロトコル生成部１６は、体重当たり造影剤量を増加又は減少させる。そして、プロトコル生成部１６は、増加又は減少された体重当たり造影剤量を使用して新たな注入プロトコルを生成する。
【００６５】
代替的に、プロトコル生成部１６は、被写体の体重を増加又は減少させてもよい。そして、プロトコル生成部１６は、増加又は減少された被写体の体重を使用して新たな注入プロトコルを生成する。なお、体重当たり造影剤量は、被写体の体重に基づいて算出される。そのため、体重を変更する場合と比較して、体重当たり造影剤量を変更する場合は、体重当たり造影剤量の再計算が不要になるという利点がある。
【００６６】
そして、シミュレーション部１５は、新たな注入プロトコルを使用して再シミュレーションを行う。すなわち、シミュレーション部１５は、被写体情報（例えば被写体の体重）を記憶部２４から取得する（Ｓ３０３）。また、シミュレーション部１５は、プロトコル生成部１６が生成した新たな注入プロトコル（例えば注入速度及び注入時間）を記憶部２４から取得する（Ｓ３０４）。さらに、シミュレーション部１５は、部位情報（例えば選択部位の名称）を記憶部２４から取得する（Ｓ３０５）。
【００６７】
続いて、シミュレーション部１５は、新たな注入プロトコルと部位情報とを使用して、選択部位を血流方向に沿って分割した複数のコンパートメントのそれぞれについて、画素値の経時変化を予測する（Ｓ３０６）。シミュレーションの終了後、シミュレーション部１５は、時間ごとの選択部位内の各コンパートメントの予測画素値を、選択部位と関連付けて記憶部２４に記憶させる。そして、プロトコル生成部１６は、予測画素値及び目標画素値を記憶部２４から読み出して比較し、予測画素値が目標条件を満たすか否かを判断する（Ｓ３０７）。
【００６８】
目標条件を満たすと判断した場合（Ｓ３０７でＹＥＳ）、処理はメインフロー（図３）に戻る。そして、制御部２５は、記憶部２４から予測画素値を取得し、タッチパネル２６に表示させる（Ｓ１１２）。一方、目標条件を満たさないと判断した場合（Ｓ３０７でＮＯ）、プロトコル生成部１６は、シミュレーション部１５に再シミュレーションを繰り返させる。
【００６９】
［再シミュレーションの例］
目標条件を満たすと判断した場合、プロトコル生成部１６は、予測画素値が目標画素値（又はその上限値若しくは下限値）よりも高いか又は低いかを判断する。そして、予測画素値が目標画素値又は上限値よりも高い場合、プロトコル生成部１６は、体重当たり造影剤量又は被写体の体重を減少させて新たな注入プロトコルを生成する。
【００７０】
例えば、図６において、目標画素値が４００HUであり、上限値が４５０HUであり、下限値が３５０HUであり、目標持続時間が１０秒であるとする。この場合、斜線で示された許容範囲に予測画素値が収まれば、目標条件が満たされる。プロトコル生成部１６は、体重当たり造影剤量を６００mgI/kgから５８０mgI/kgに変更し、変更された体重当たり造影剤量を使用して新たな注入プロトコルを生成する。そして、シミュレーション部１５は、新たな注入プロトコルを使用して１回目の再シミュレーションを行う。
【００７１】
１回目の再シミュレーションによって予測された予測画素値を、図６において実線５８０で示す。このとき、予測画素値は、目標持続時間である１０秒に渡って許容範囲内の状態が維持されていない。そのため、プロトコル生成部１６は、目標条件を満たさないと判断し、体重当たり造影剤量を５８０mgI/kgから５６０mgI/kgに変更する。そして、シミュレーション部１５は、新たな注入プロトコルを使用して２回目の再シミュレーションを行う。
【００７２】
２回目の再シミュレーションによって予測された予測画素値を、図６において一点鎖線５６０で示す。このとき、予測画素値は、目標持続時間である１０秒に渡って許容範囲内の状態が維持されていない。そのため、プロトコル生成部１６は、目標条件を満たさないと判断し、体重当たり造影剤量を５６０mgI/kgから５４０mgI/kgに変更する。そして、シミュレーション部１５は、新たな注入プロトコルを使用して３回目の再シミュレーションを行う。
【００７３】
３回目の再シミュレーションによって予測された予測画素値を、図６において点線５４０で示す。このとき、予測画素値は、目標持続時間である１０秒に渡って許容範囲内の状態が維持されている。そのため、プロトコル生成部１６は、目標条件を満たすと判断し、処理がメインフローに戻る。そして、プロトコル生成部１６は、３回目の再シミュレーションで使用された新たな注入プロトコルを、最終注入プロトコルとして決定する。
【００７４】
一方、予測画素値が目標画素値又はその下限値よりも低い場合、プロトコル生成部１６は、体重当たり造影剤量又は被写体の体重を増加させて新たな注入プロトコルを生成する。例えば、プロトコル生成部１６は、体重当たり造影剤量を４２０mgI/kgから４４０mgI/kgに変更し、変更された体重当たり造影剤量を使用して新たな注入プロトコルを生成する。そして、シミュレーション部１５は、新たな注入プロトコルを使用して１回目の再シミュレーションを行う。
【００７５】
１回目の再シミュレーションによって予測された予測画素値を、図６において実線４４０で示す。このとき、予測画素値は、目標持続時間である１０秒に渡って許容範囲内の状態が維持されていない。そのため、プロトコル生成部１６は、目標条件を満たさないと判断し、体重当たり造影剤量を４４０mgI/kgから４６０mgI/kgに変更する。そして、シミュレーション部１５は、新たな注入プロトコルを使用して２回目の再シミュレーションを行う。
【００７６】
２回目の再シミュレーションによって予測された予測画素値を、図６において一点鎖線４６０で示す。このとき、予測画素値は、目標持続時間である１０秒に渡って許容範囲内の状態が維持されていない。そのため、プロトコル生成部１６は、目標条件を満たさないと判断し、体重当たり造影剤量を４６０mgI/kgから４８０mgI/kgに変更する。そして、シミュレーション部１５は、新たな注入プロトコルを使用して３回目の再シミュレーションを行う。
【００７７】
３回目の再シミュレーションによって予測された予測画素値を、図６において点線４８０で示す。このとき、予測画素値は、目標持続時間である１０秒に渡って許容範囲内の状態が維持されている。そのため、プロトコル生成部１６は、目標条件を満たすと判断し、処理がメインフローに戻る。そして、プロトコル生成部１６は、３回目の再シミュレーションで使用された新たな注入プロトコルを、最終注入プロトコルとして決定する。
【００７８】
代替的に、プロトコル生成部１６は、複数回行った再シミュレーションで使用された複数の注入プロトコルのうち、最も造影剤の使用量が少ない注入プロトコルを最終注入プロトコルとして決定してもよい。例えば、プロトコル生成部１６が、１回目の再シミュレーションにおいて体重当たり造影剤量を６００mgI/kgから５８０mgI/kgに変更したとする。その後、プロトコル生成部１６は、体重当たり造影剤量を２０mgI/kgずつ減少させて、体重当たり造影剤量が４６０mgI/kgになるまで再シミュレーションを繰り返す。そして、プロトコル生成部１６は、目標条件を満たし且つ最も使用量が少ない注入プロトコルとして、体重当たり造影剤量４８０mgI/kgで行われた再シミュレーションで使用された注入プロトコルを、最終注入プロトコルとして決定する。
【００７９】
さらに、プロトコル生成部１６は、同様に複数回行った再シミュレーションで使用された複数の注入プロトコルのうち、目標持続時間に渡って最も目標画素値と予測画素値との差が少ない注入プロトコルを最終注入プロトコルとして決定してもよい。例えば、図６においては、体重当たり造影剤量５２０mgI/kgで行われた再シミュレーションの結果（二点鎖線５２０で示す）が、目標持続時間に渡って最も目標画素値と予測画素値との差が少ない。そこで、プロトコル生成部１６は、目標条件を満たし且つ最も差が少ない注入プロトコルとして、体重当たり造影剤量５２０mgI/kgで行われた再シミュレーションで使用された注入プロトコルを、最終注入プロトコルとして決定する。
【００８０】
各再シミュレーションにおけるパラメータの増減量は、選択部位毎に予め定められている。例えば、肝臓が選択された場合、体重当たり造影剤量の増減量は、１回再シミュレーションを行う毎に２０mgI/kgとすることができる。すなわち、予測画素値が目標条件を満たすまで、２０mgI/kgずつ増減させて再シミュレーションを繰り返す。
【００８１】
例えば、初期条件に比べて体重当たり造影剤量が増えると、注入時間が延長されるか、又は造影剤の単位時間当たり注入量（例えば注入速度）が増加する。初期条件に比べて体重当たり造影剤量が減ると、注入時間が短縮されるか、又は造影剤の単位時間当たり注入量が減少する。さらに、生理食塩水によって造影剤を希釈して注入する場合には、注入プロトコル内の希釈率を増減させることによって、造影剤の単位時間当たり注入量を増減させることもできる。
【００８２】
以上説明した第１実施形態によれば、シミュレーション部によるシミュレーション結果を考慮して、注入プロトコルを生成できる。そのため、予めシミュレーションした結果を確認した上で、注入プロトコルを生成することができる。これにより、より適切な注入量で造影できるので、被験者の負担を抑制することもできる。また、ユーザーが望む範囲の画素値を達成する注入プロトコルを生成できる。さらに、既存のシミュレーション方法を使用して、注入プロトコルを生成できる。
【００８３】
なお、再シミュレーション時に、プロトコル生成部１６は、記憶部２４が予め記憶する複数の注入プロトコルの中から一つの注入プロトコルを読み出すことにより、新たな注入プロトコルを生成してもよい。この場合、記憶部２４は、変更されたパラメータを使用して生成した複数の注入プロトコルを記憶している。
【００８４】
［第２実施形態］
続いて、図７を参照して第２実施形態について説明する。第１実施形態では注入装置２が注入プロトコルの生成装置を備えていたが、第２実施形態では撮像装置３が生成装置を備えている。なお、第２実施形態の説明においては、第１実施形態との相違点について説明し、第１実施形態で説明した構成要素については同じ参照番号を付し、その説明を省略する。特に説明した場合を除き、同じ参照符号を付した構成要素は略同一の動作及び機能を奏し、その作用効果も略同一である。
【００８５】
図７は撮像装置３と注入装置２とを備える撮像システム２００の概略ブロック図である。図７に示すように、注入装置２は、薬液を注入する注入ヘッド２１と、コンソール２３とを備えている。そして、コンソール２３は、注入ヘッド２１を含む注入装置２の全体を制御するＣＰＵ等の制御部２５と、入力表示部としてのタッチパネル２６を有している。
【００８６】
撮像装置３は、表示部としてのディスプレイ３３と、入力部３４と、注入プロトコルの生成装置３２３（例えばＣＰＵ）と、注入プロトコルの生成プログラムを記憶している記憶部３２４を有している。この記憶部３２４は、生成装置３２３が動作するためのシステムワークメモリであるＲＡＭ、プログラム若しくはシステムソフトウェア等を格納するＲＯＭ、又はハードディスクドライブを有する。また、記憶部３２４は、初期注入プロトコル算出用の計算式、及び初期条件を記憶している。
【００８７】
生成装置３２３は、記憶部３２４に実装されたプログラムに対応して各種処理を実行する。これにより、各部が各種機能として論理的に実現される。代替的に、生成装置３２３は、可搬記録媒体又は外部記憶媒体に記憶されたプログラムに従って各種処理を制御することもできる。また、生成装置３２３は、薬液の情報を取得する薬液情報取得部３１１と、被写体の情報を取得する被写体情報取得部３１２とを備えている。
【００８８】
また、生成装置３２３は、ユーザーが選択した選択部位の部位情報を取得する部位情報取得部３１３と、選択部位の目標画素値を取得する目標値取得部３１４と備えている。さらに、生成装置３２３は、選択部位の部位情報と初期注入プロトコルとを使用して、選択部位の画素値の経時変化をシミュレーションして予測画素値を求めるシミュレーション部３１５を備えている。このシミュレーション部３１５は、さらに部位情報を考慮して画素値の経時変化をシミュレーションすることができる。
【００８９】
また、生成装置３２３は、予測画素値を目標画素値と比較し、予測画素値が目標条件を満たすか否かを判断するプロトコル生成部３１６を備えている。このプロトコル生成部３１６は、目標条件が満たされる場合に、初期注入プロトコルを最終注入プロトコルとして決定する。そして、注入装置２の制御部２５は、プロトコル生成部３１６から最終注入プロトコルを取得する。その後、制御部２５は、最終注入プロトコルに従うように注入ヘッド２１を制御して薬液を注入させる。
【００９０】
目標条件が満たされない場合、プロトコル生成部３１６は、目標条件が満たされるまでシミュレーション部３１５に再シミュレーションを繰り返させる。そして、プロトコル生成部３１６は、再シミュレーションによって目標条件が満たされる場合、再シミュレーションに使用された注入プロトコルを最終注入プロトコルとして決定する。
【００９１】
第２実施形態においても、第１実施形態と同様に注入プロトコルが生成される。すなわち、ユーザーは、入力部３４から所望の部位を選択する。すると、部位情報取得部３１３は、入力部３４を介して、選択部位の部位情報を取得する。そして、部位情報取得部３１３は、取得した部位情報を記憶部３２４に一時的に記憶させる。
【００９２】
プロトコル生成部３１６は、初期注入プロトコル算出用の計算式と、初期条件とを記憶部３２４から読み出し、初期注入プロトコルを生成する。続いて、プロトコル生成部３１６は、初期注入プロトコルを記憶部３２４に記憶させる。そして、シミュレーション部３１５は、選択部位の部位情報と初期注入プロトコルとを使用して、選択部位の画素値の経時変化をシミュレーションする。
【００９３】
シミュレーションの終了後、シミュレーション部３１５は、時間ごとの選択部位内の各コンパートメントの予測画素値を、選択部位と関連付けて記憶部３２４に記憶させる。生成装置３２３は、記憶部３２４から予測画素値を取得し、ディスプレイ３３に表示させる。予測画素値を確認したユーザーは、入力部３４を介して被写体情報を入力する。被写体情報取得部３１２は、入力された被写体情報を取得して、記憶部３２４に記憶させる。
【００９４】
ユーザーが目標画素値を入力しない場合、プロトコル生成部３１６は、初期注入プロトコルを最終注入プロトコルとして決定し、記憶部３２４に記憶させる。一方、ユーザーが目標画素値を入力した場合、目標値取得部３１４は、入力された目標画素値を取得して、記憶部３２４に記憶させる。そして、プロトコル生成部３１６は、予測画素値及び目標画素値を記憶部３２４から読み出して比較し、予測画素値が目標条件を満たすか否かを判断する。
【００９５】
目標条件を満たすと判断した場合、プロトコル生成部３１６は、初期注入プロトコルを最終注入プロトコルとして決定し、記憶部３２４に記憶させる。そして、生成装置３２３は、最終注入プロトコルをディスプレイ３３に表示させる。その後、ユーザーは、表示された注入プロトコルを確認し、注入装置２のタッチパネル２６に表示されたチェックボタン又は注入ヘッド２１の最終確認ボタンを押す。これにより、注入準備が完了して、注入装置２は注入可能状態で待機する。
【００９６】
一方、目標条件を満たさないと判断した場合、プロトコル生成部３１６は、目標条件が満たされるまでシミュレーション部３１５に再シミュレーションを繰り返させる。再シミュレーション後、シミュレーション部３１５は、予測画素値を選択部位と関連付けて記憶部３２４に記憶させる。そして、生成装置３２３は、記憶部３２４から予測画素値を取得し、ディスプレイ３３に新たな注入プロトコルと共に表示させる。その後、ユーザーは、表示された注入プロトコルを確認し、注入装置２のタッチパネル２６に表示されたチェックボタン又は注入ヘッド２１の最終確認ボタンを押す。これにより、注入準備が完了して、注入装置２は注入可能状態で待機する。
【００９７】
以上説明した第２実施形態によっても、シミュレーション部によるシミュレーション結果を考慮して、注入プロトコルを生成できる。そのため、予めシミュレーションした結果を確認した上で、注入プロトコルを生成することができる。これにより、より適切な注入量で造影できるので、被験者の負担を抑制することもできる。また、ユーザーが望む範囲の画素値を達成する注入プロトコルを生成できる。さらに、既存のシミュレーション方法を使用して、注入プロトコルを生成できる。
【００９８】
以上、各実施形態を参照して本発明について説明したが、本発明は上記実施形態に限定されるものではない。本発明に反しない範囲で変更された発明、及び本発明と均等な発明も本発明に含まれる。また、各実施形態及び各変形例は、本発明に反しない範囲で適宜組み合わせることができる。
【００９９】
例えば、注入プロトコルの生成装置は、撮像装置３及び注入装置２と別体に構成することもできる。この場合、生成装置は注入装置２と有線又は無線で接続され、注入装置２は外部の生成装置が生成した注入プロトコルを受信する。そして、注入装置２は、受信した注入プロトコルに従って造影剤を注入する。
【０１００】
また、注入装置２又は撮像システム１００は、注入結果（注入履歴）に関する情報を、ネットワーク経由で外部記憶装置に送信し記憶させることもできる。
【０１０１】
また、プロトコル生成部は、スキャン計画画像を用いて初期注入プロトコルを求めてもよい。ここで、スキャン計画画像とは、スキャノグラフィー、スキャノグラム、又はスキャノ画像とも呼ばれ、本スキャン前に患者の位置決めを行うための撮像で得られる透視画像である。このスキャン計画画像は、Ｘ線管及び検出器を回転させない状態でベッドを移動させ、当該移動に同期して患者を撮像することにより得られる。一例として、プロトコル生成部は、スキャン計画画像のデータを取得し、取得したスキャン計画画像から、選択部位付近の被写体の体幅方向の画素濃度の累積値を計算する。そして、プロトコル生成部は、計算した累積値を考慮して、造影剤の合計注入量ＳＵＭ（ml）を決定し、決定した合計注入量に基づいて初期注入プロトコルを求める。
【０１０２】
実験から、被写体が小さい場合には撮像画像の画素値が上昇し、被写体が大きい場合には撮像画像の画素値は上昇しないことが分かっている。そのため、被写体が小さい場合には、被写体が大きい場合と比較して、少ない造影剤の注入量で足りる。一方、被写体が大きい場合には、被写体が小さい場合と比較して、多くの注入量を要する。さらに、被写体が小さい場合には、スキャン計画画像の画素濃度を横方向に累積した値は、被写体が大きい場合と比較して小さい。一方、被写体が大きい場合には、被写体が小さい場合と比較して濃度の累積値が大きい。そのため、スキャン計画画像を用いることにより、被写体の体型に応じて、より高い精度で造影剤の注入量を決定することができる。
【０１０３】
また、部位情報取得部は、スキャン計画画像から選択部位の体積（血管腔の体積）を求めて、部位情報として記憶部に記憶させてもよい。この場合、シミュレーション部は、選択部位の体積と初期注入プロトコルとを使用して、選択部位を血流方向に沿って分割した複数のコンパートメントのそれぞれについて、画素値の経時変化をシミュレーションする。
【符号の説明】
【０１０４】
２：注入装置、３：撮像装置、１３：部位情報取得部、１４：目標値取得部、１５：シミュレーション部、１６：プロトコル生成部、２１：注入ヘッド、２３：生成装置、３１：撮像部、３１３：部位情報取得部、３１４：目標値取得部、３１５：シミュレーション部、３１６：プロトコル生成部、３２３：生成装置
【図１】
2018130231.tif 000003
【図２】
2018130231.tif 000004
【図３】
2018130231.tif 000005
【図４】
2018130231.tif 000006
【図５】
2018130231.tif 000007
【図６】
2018130231.tif 000008
【図７】
2018130231.tif 000009